(57)【要約】【課題】端末本体がユーザに携帯されていない状態であるときにＰｕｓｈ配信の内容に応じて印刷を行うことにより、ユーザにＰｕｓｈ配信の内容を確実に報知し、業務の効率化を図る。【解決手段】携帯端末装置３のＣＰＵ３０は、電源３８がＯＦＦ状態である場合に、Ｐｕｓｈ配信の着信があると、電源３８をＯＮ状態に切り替えてＰｕｓｈ配信内容を取り込み、装着検出装置３７により、携帯端末装置３がクレードル４上に載置された状態であることが検出された場合、Ｐｕｓｈ配信内容を解析し、配信内容がメール起動命令である場合、メールソフトを起動してメールを取得し、印刷装置３６にメール内容をプリントアウトさせる。Ｐｕｓｈ配信内容がメール起動命令でない場合、ＣＰＵ３０は、Ｐｕｓｈ配信の着信時間及び発信者情報を印刷装置３６にプリントアウトさせる。【選択図】図３
2005130365.tif 000002
【特許請求の範囲】
【請求項１】
無線通信ネットワークを介してホスト装置に接続される携帯端末装置であって、
端末本体がユーザに携帯されていない状態であるか否かを検出する検出手段と、
前記ホスト装置からのプッシュ配信があった際に、前記プッシュ配信の内容を取り込み、前記検出手段により前記端末本体がユーザに携帯されていない状態であることが検出された場合に、前記プッシュ配信の内容に応じた印刷を行わせる制御手段と、
を備えたことを特徴とする携帯端末装置。
【請求項２】
前記制御手段は、前記ホスト装置からプッシュ配信された配信内容がメール起動命令の場合は、メールソフトを起動して前記ホスト装置からメールを取得し、前記取得されたメール内容を印刷させることを特徴とする請求項１記載の携帯端末装置。
【請求項３】
前記制御手段は、前記ホスト装置からプッシュ配信された配信内容がメール起動命令以外である場合は、プッシュ配信の着信があったことを示す情報を印刷させることを特徴とする請求項１又は２の何れか一項に記載の携帯端末装置。
【請求項４】
前記制御手段は、前記ホスト装置からプッシュ配信された配信内容がメンテナンス命令の場合は、前記メンテナンス命令に基づいてアプリケーションを更新し、アプリケーションを更新したことを示すメンテナンス情報を印刷させることを特徴とする請求項１〜３の何れか一項に記載の携帯端末装置。
【請求項５】
前記検出手段は、前記端末本体がユーザに携帯されていない状態であるか否かを、前記携帯端末装置の充電端子に対して、充電装置からの電源供給があるか否かより検出することを特徴とする請求項１〜４の何れか一項に記載の携帯端末装置。
【請求項６】
無線通信ネットワークを介してホスト装置に接続される携帯端末装置を制御するためのコンピュータに、
端末本体がユーザに携帯されていない状態であるか否かを検出する機能と、
前記ホスト装置からのプッシュ配信があった際に、前記プッシュ配信の内容を取り込み、前記端末本体がユーザに携帯されていない状態であることが検出された場合に、前記プッシュ配信の内容に応じた印刷を行わせる機能と、
を実現させるためのプログラム。
【発明の詳細な説明】
【技術分野】
【０００１】
本発明は、ホスト装置からプッシュ配信の着信があった際、端末本体がユーザに携帯されていない状態である場合に、プッシュ配信の内容に応じた印刷を行うことが可能な携帯端末装置及びそのプログラムに関する。
【背景技術】
【０００２】
近年、ＰＤＡ（Personal Digital Assistance）等の無線通信可能な携帯端末装置の普及により、顧客先、外勤先等においても業務上必要なデータのアップロード、ダウンロード、事務所や営業所からの業務連絡の受信等が可能になっている。また、プッシュ配信（以下、Ｐｕｓｈ配信と称する）に対応している携帯端末装置においては、ホスト装置からＰｕｓｈ配信が行われると、電源がＯＦＦ状態であっても自動的に起動して、配信されたデータを受信することができるものもある。ここで、プッシュ配信とは、端末側からホスト装置にアクセスして情報をリクエストする操作を行わなくても、自動的にホスト装置側から端末に情報を送信する技術である。
【０００３】
上述した携帯端末装置においては、業務上緊急性を有する情報が配信される場合もあるため、Ｐｕｓｈ配信を受信した場合には、携帯端末装置のユーザに遅滞なく報知する必要がある。例えば、特許文献１においては、電子メールの着信を表示等によりリアルタイムで報知する技術が記載されている。
【特許文献１】特開平１１−２６５３３２号公報
【発明の開示】
【発明が解決しようとする課題】
【０００４】
しかしながら、例えば、ユーザが車の運転中である場合等、手が離せない状態で携帯端末装置の操作を行うことができない状態にあるとき、Ｐｕｓｈ配信の着信が携帯端末装置の画面上に表示されていても、その内容を直ぐに確認することができない。そのため、Ｐｕｓｈ配信された内容にユーザが迅速に対応できず、効率的に業務を遂行できない場合があった。
【０００５】
本発明の課題は、端末本体がユーザに携帯されていない状態であるときにＰｕｓｈ配信の内容に応じて印刷を行うことにより、ユーザにＰｕｓｈ配信の内容を確実に報知し、業務の効率化を図ることである。
【課題を解決するための手段】
【０００６】
請求項１に記載の発明は、無線通信ネットワークを介してホスト装置に接続される携帯端末装置であって、端末本体がユーザに携帯されていない状態であるか否かを検出する検出手段と、前記ホスト装置からのプッシュ配信があった際に、前記プッシュ配信の内容を取り込み、前記検出手段により前記端末本体がユーザに携帯されていない状態であることが検出された場合に、前記プッシュ配信の内容に応じた印刷を行わせる制御手段とを備えたことを特徴とする。
【０００７】
請求項６に記載の発明は、無線通信ネットワークを介してホスト装置に接続される携帯端末装置を制御するためのコンピュータに、端末本体がユーザに携帯されていない状態であるか否かを検出する機能と、前記ホスト装置からのプッシュ配信があった際に、前記プッシュ配信の内容を取り込み、前記端末本体がユーザに携帯されていない状態であることが検出された場合に、前記プッシュ配信の内容に応じた印刷を行わせる機能と、を実現させるためのプログラムであることを特徴とする。
【発明の効果】
【０００８】
本発明によれば、ホスト装置からのプッシュ配信があった際に、プッシュ配信の内容を取り込み、端末本体がユーザに携帯されていない状態であることが検出された場合に、プッシュ配信の内容に応じた印刷を行うので、ユーザが携帯端末装置を操作できない状態であるときに、印刷出力によりホスト装置からの着信内容を確実に報知することができ、業務の効率化を図ることができる。
【発明を実施するための最良の形態】
【０００９】
(実施形態１）
以下、図を参照して本発明の実施形態１について詳細に説明する。
まず、構成を説明する。
図１に、本発明の実施形態１におけるデータ配信システム１００の全体構成例を示す。図１に示すように、データ配信システム１００は、ホスト装置１と携帯端末装置３とがネットワークＰＮ、移動体通信網の基地局２を介してデータ通信可能に接続されて構成されている。ネットワークＰＮは、インターネット、移動体通信網、電話回線等の一般公衆回線等を利用した情報通信網である。なお、ネットワークＰＮ上の基地局２の台数及び１台のホスト装置１にネットワークＰＮを介して接続される携帯端末装置３の台数は特に限定されない。
【００１０】
ホスト装置１は、例えば、会社の事務所や営業所等に設置された情報管理装置であり、ネットワークＰＮ及び基地局２を介して携帯端末装置３に対して業務連絡を始めとする各種データのＰｕｓｈ配信を行う。
【００１１】
携帯端末装置３は、例えば、外出先の従業員等が所持する無線通信端末であり、基地局２を介してホスト装置１から送信されるＰｕｓｈ配信を受信して各種動作を行う。携帯端末装置３は、図２に示すように、印刷装置３６を備え、少なくとも携帯端末装置３の充電機能を備えたクレードル４に着脱可能に構成されており、クレードル４に載置された状態である場合には、ホスト装置１からのＰｕｓｈ配信の着信内容に応じた印刷を行う。
【００１２】
以下、図３を参照して、携帯端末装置３の内部構成について詳細に説明する。
図３に、本発明に係る携帯端末装置３の機能的構成例を示す。図３に示すように、携帯端末装置３は、ＣＰＵ３０、表示装置３１、入力装置３２、通信装置３３、ＲＡＭ３４、記憶装置３５、印刷装置３６、装着検出装置３７、電源３８等により構成され、各部はバス３９により接続されている。
【００１３】
ＣＰＵ（Central Processing Unit）３０は、記憶装置３５に記憶されているシステムプログラムを読み出し、ＲＡＭ３４内に形成されたワークエリアに展開し、該システムプログラムに従って各部を制御する。また、ＣＰＵ３０は、記憶装置３５に記憶されている各種処理プログラム、アプリケーションプログラムを読み出してワークエリアに展開し、後述するＰｕｓｈ配信受信処理Ａを始めとする各種処理を実行する。
【００１４】
表示装置３１は、ＬＣＤ（Liquid Crystal Display）等の表示画面を備え、ＣＰＵ３０から入力される表示信号に従って所要の表示処理を行う。
【００１５】
入力装置３２は、テンキー、カーソルキー、電源ＯＮ／ＯＦＦキー、各種ファンクションキー等を有し、キーの押下信号による操作信号をＣＰＵ３０に出力する。また、入力装置３２は、表示装置３１の表示画面上を覆うように重畳して設けられたタッチパネルを有し、電磁誘導式、磁気歪式、感圧式等の座標読み取り原理で、専用のペンによってタップされた座標を検出し、検出した座標を位置信号としてＣＰＵ３０に出力する。
【００１６】
通信装置３３は、基地局２との無線通信が可能なアンテナ（図示せず）を備えて構成され、基地局２とアンテナとの間で信号の送受信を行うことにより、基地局２を介してネットワークＰＮに接続されたホスト装置１を始めとする各種装置との通信を行う。また、通信装置３３は、電源がＯＦＦ状態である場合に、ホスト装置１からのＰｕｓｈ配信の着信を待機する。
【００１７】
ＲＡＭ３４は、ＣＰＵ３０により実行される各種プログラムをプログラム格納エリアに展開する。また、ＲＡＭ３４は、入力データ及びプログラムの実行時に生じる処理結果等のデータを、ワークエリアに一時的に格納する。
【００１８】
記憶装置３５は、携帯端末装置３に対応するシステムプログラム、Ｐｕｓｈ配信受信処理Ａプログラムを始めとする各種処理プログラム、アプリケーションプログラム、データ等が予め記憶されている記録媒体を有している。この記録媒体は、磁気的、光学的記録媒体又は半導体等の不揮発性メモリで構成されており、記憶装置３５に固定的に設けたもの又は着脱自在に装着するものである。
【００１９】
印刷装置３６は、例えば、感熱方式等のプリンタであり、ＣＰＵ３０からの指示信号に基づいて、各種データを紙等の記録媒体上に印刷出力する。
【００２０】
装着検出装置３７は、携帯端末装置３がクレードル４上に載置された状態であるか否かを、電源３８の充電端子に対して、クレードル４を介しての電源供給があるか否かにより検出し、検出結果をＣＰＵ３０へ出力する。
【００２１】
電源３８は、図示しない充電端子を介してクレードル４から供給される電流を蓄積し、電源ＯＮ時に携帯端末装置３の各部に電力を供給する。
【００２２】
次に、実施形態１における動作を説明する。
図４に、ＣＰＵ３０により実行されるＰｕｓｈ配信受信処理Ａを示す。以下、図４を参照してＰｕｓｈ配信受信処理Ａについて説明する。
【００２３】
携帯端末装置３の電源３８がＯＮ状態である場合（ステップＳ１；ＮＯ）、処理は通常の入力装置３２の操作信号に基づく動作へ移行する（ステップＳ２）。携帯端末装置３の電源３８がＯＦＦ状態である場合（ステップＳ１；ＹＥＳ）、通信装置３３によりホスト装置１からのＰｕｓｈ配信が待機され（ステップＳ３）、Ｐｕｓｈ配信の着信がない場合は（ステップＳ３；ＮＯ）、処理はステップＳ１に戻り、ステップＳ１〜Ｓ３が繰り返し実行される。通信装置３３においてホスト装置１からのＰｕｓｈ配信の着信があると（ステップＳ３；ＹＥＳ）、電源３８がＯＮ状態に切り替えられ（ステップＳ４）、Ｐｕｓｈ配信内容が取り込まれる（ステップＳ５）。
【００２４】
次いで、装着検出装置３７により、当該携帯端末装置３がクレードル４上に載置されている状態であると検出された場合は（ステップＳ６；ＹＥＳ）、Ｐｕｓｈ配信された内容が解析され、配信内容がメール起動命令であるか否かが判断される（ステップＳ７）。Ｐｕｓｈ配信された配信内容がメール起動命令である場合は（ステップＳ７；ＹＥＳ）、メールソフトが起動され（ステップＳ８）、メールソフトによりホスト装置１からのメールが取得され（ステップＳ９）、印刷装置３６に、取得されたメール内容の印刷が指示され、取得されたメール内容がプリントアウトされる（ステップＳ１０）。一方、Ｐｕｓｈ配信された内容がメール起動命令ではない場合（ステップＳ７；ＮＯ）、印刷装置３６に、Ｐｕｓｈ配信の着信があったことを示す情報として、着信時間及び発信者情報の印刷が指示され、Ｐｕｓｈ配信の着信時間及び発信者情報がプリントアウトされる（ステップＳ１１）。ステップＳ１０、１１の終了後、携帯端末装置３の電源３８がＯＦＦに切り替えられ（ステップＳ１２）、処理はステップＳ１に戻る。
【００２５】
一方、装着検出装置３７により、当該携帯端末装置３がクレードル４上に載置された状態ではないことが検出された場合（ステップＳ６；ＮＯ）、処理はステップＳ１３に移行し、Ｐｕｓｈ配信された内容が解析され、配信内容がメール起動命令であるか否かが判断される（ステップＳ１３）。Ｐｕｓｈ配信された配信内容がメール起動命令である場合は（ステップＳ１３；ＹＥＳ）、メールソフトが起動され（ステップＳ１４）、メールソフトによりホスト装置１からのメールが取得され（ステップＳ１５）、表示装置３１に対して、取得されたメール内容の表示が指示され、表示画面上に取得されたメール内容が所定時間表示される（ステップＳ１６）。一方、Ｐｕｓｈ配信された配信内容がメール起動命令ではない場合（ステップＳ１３；ＮＯ）、表示装置３１に対して、Ｐｕｓｈ配信の着信があったことを示す情報として、着信時間及び発信者情報の表示が指示され、表示画面上に、Ｐｕｓｈ配信の着信時間及び発信者情報が所定時間表示される（ステップＳ１７）。ステップＳ１６、１７の終了後、携帯端末装置３の電源３８がＯＦＦに切り替えられ（ステップＳ１８）、処理はステップＳ１に戻る。
【００２６】
以上説明したように、本発明に係る携帯端末装置３のＣＰＵ３０によれば、電源３８がＯＦＦ状態である場合、通信装置３３にホスト装置１からのＰｕｓｈ配信の着信があると、電源３８をＯＮ状態に切り替えてＰｕｓｈ配信内容を取り込み、装着検出装置３７により、携帯端末装置３がクレードル４上に載置された状態であることが検出された場合、Ｐｕｓｈ配信内容を解析し、配信内容がメール起動命令である場合、メールソフトを起動してメールを取得し、印刷装置３６にメール内容をプリントアウトさせる。Ｐｕｓｈ配信内容がメール起動命令でない場合、ＣＰＵ３０は、Ｐｕｓｈ配信の着信時間及び発信者情報を印刷装置３６にプリントアウトさせる。
【００２７】
従って、携帯端末装置３がクレードル４に載置状態にあるとき、即ち、ユーザが車運転中等により携帯端末装置３の操作ができない状態にあるときに、ユーザに、印刷物により簡単にホスト装置１からの着信内容及びメール内容を確認させることができるので、ユーザの対応を早めさせることができ、業務の効率化を図ることができる。
【００２８】
なお、上記実施の形態における記述内容は好適な一例であり、これに限定されるものではない。
例えば、上記実施の形態においては、手が離せないユーザへのホスト装置１からの着信内容は、印刷物のプリントアウトのみにより報知することとしたが、これに限定されず、例えば、携帯端末装置３が音声合成・出力部を備える構成とし、Ｐｕｓｈ配信の内容をまず音声によりユーザに通知してから、印刷装置３６で詳細内容をプリントさせるようにしてもよい。これにより、更にユーザの迅速な対応が可能となる。
【００２９】
また、上記実施の形態においては、印刷装置３６は携帯端末装置３に備える構成としたが、クレードル４に印刷装置を備える構成としてもよい。この場合、例えば、携帯端末装置３、クレードル４は、それぞれ近距離無線通信装置等を備える構成とし、ＩｒＤＡ規格に基づく無線通信方式等によりプリントアウトするためのデータを携帯端末装置３からクレードル４に送信し、クレードル４において、送信されたデータを印刷装置により印刷する。これにより、携帯端末装置３が印刷装置を備えていなくとも、クレードル４が印刷機能を備えていれば、本発明を実施することができる。
【００３０】
その他、データ配信システム１００を構成する各装置の細部構成及び細部動作に関しても、本発明の趣旨を逸脱することのない範囲で適宜変更可能である。
【００３１】
（実施形態２）
以下、図を参照して本発明の実施形態２について説明する。
図５に、本発明の実施形態２におけるデータ配信システム２００の全体構成例を示す。図５に示すように、データ配信システム２００は、ホスト装置１と携帯端末装置３とがＬＡＮ（Local Area Network）、ＷＡＮ（Wide Area Network）等により構成されるネットワークＬＮ及びネットワークＬＮ上に複数設置された無線ＬＡＮの中継器であるアクセスポイント５を介してデータ通信可能に接続されて構成されている。なお、ネットワークＬＮ上のアクセスポイント５の台数及び１台のホスト装置１にネットワークＬＮを介して接続される携帯端末装置３の台数は特に限定されない。
【００３２】
本実施の形態において、ホスト装置１はネットワークＬＮに接続可能に構成され、日中の業務終了後、会社の事務所や営業所において携帯端末装置３の夜間充電中に、ネットワークＬＮを介して、携帯端末装置３のアプリケーションを更新するためのメンテナンス命令を携帯端末装置３にＰｕｓｈ配信し、携帯端末装置３が業務に使用されていない間に定期的に携帯端末装置３のアプリケーション更新を行う。
【００３３】
携帯端末装置３は、アンテナを備えた無線ＬＡＮカード等により構成される第２の通信装置４０（図示せず）を備え、アクセスポイント５との間で、例えば、IEEE802.11規格に準じた無線通信を行うことにより、ネットワークＬＮを介してＰｕｓｈ配信されたメンテナンス命令を受信する。また、無線通信の方式としてBluetooth（R）等を用いてもよい。その他、ホスト装置１、携帯端末装置３の構成は、実施形態１で説明したのと同様であるのでその説明は省略する。
【００３４】
次に、実施形態２における動作を説明する。
図６に、ＣＰＵ３０により実行されるＰｕｓｈ配信受信処理Ｂを示す。以下、図６を参照してＰｕｓｈ配信受信処理Ｂについて説明する。
【００３５】
携帯端末装置３の電源３８がＯＮ状態である場合（ステップＳ２１；ＮＯ）、又は、電源３８がＯＦＦ状態で（ステップＳ２１；ＹＥＳ）、かつ、装着検出装置３７により当該携帯端末装置３がクレードル４上に載置されている状態ではないことが検出された場合（ステップＳ２３；ＮＯ）、処理は通常の入力装置３２の操作信号に基づく動作へ移行する（ステップＳ２２）。即ち、携帯端末装置３は、ユーザからの入力操作に基づいて各種処理を行う。携帯端末装置３の電源３８がＯＦＦ状態で（ステップＳ２１；ＹＥＳ）、かつ、装着検出装置３７により当該携帯端末装置３がクレードル４上に載置された状態であることが検出された場合（ステップＳ２３；ＹＥＳ）、第２の通信装置４０においてホスト装置１からのＰｕｓｈ配信が待機され（ステップＳ２４）、Ｐｕｓｈ配信の着信がない場合は（ステップＳ２４；ＮＯ）、処理はステップＳ２１に戻り、ステップＳ２１〜Ｓ２３が繰り返し実行される。ホスト装置１からのＰｕｓｈ配信の着信があると（ステップＳ２４；ＹＥＳ）、電源３８がＯＮ状態に切り替えられ（ステップＳ２５）、Ｐｕｓｈ配信内容、即ち、メンテナンス命令が取り込まれる（ステップＳ２６）。
【００３６】
取り込まれたメンテナンス命令に基づいて携帯端末装置３のアプリケーションが更新されると（ステップＳ２７）、印刷装置３６に、アプリケーションのメンテナンスの実施結果を示すメンテナンス情報の印刷が指示され、メンテナンス情報がプリントアウトされる（ステップＳ２８）。プリントアウト終了後、携帯端末装置３の電源３８がＯＦＦに切り替えられ（ステップＳ２９）、処理はステップＳ２１に戻る。
【００３７】
以上説明したように、本発明に係る携帯端末装置３のＣＰＵ３０によれば、電源３８がＯＦＦ状態で、かつ、装着検出装置３７により携帯端末装置３がクレードル４上に載置された状態であることが検出された場合に、第２の通信装置４０にホスト装置１からのＰｕｓｈ配信の着信があると、電源３８をＯＮ状態に切り替え、Ｐｕｓｈ配信されたメンテナンス命令を取り込み、アプリケーション更新を実施して、メンテナンス情報を印刷装置３６にプリントアウトさせる。
【００３８】
従って、業務終了後、携帯端末装置３がクレードル４に載置状態にあるときに行われたアプリケーションのメンテナンスの実施結果を紙ベースで印刷出力しておくことにより、ユーザへアプリケーションのメンテナンスが実施されたことを確実に報知することができ、ユーザが携帯端末装置３のアプリケーションの更新状況を把握できるようになり、業務の効率化を図ることができる。
【００３９】
なお、上記実施の形態における記述内容は好適な一例であり、これに限定されるものではない。
例えば、上記実施の形態においては、印刷装置３６は携帯端末装置３に備える構成としたが、クレードル４に印刷装置を備える構成としてもよい。この場合、例えば、携帯端末装置３、クレードル４は、それぞれ近距離無線通信装置等を備える構成とし、ＩｒＤＡ規格に基づく無線通信方式等によりプリントアウトするためのデータを携帯端末装置３からクレードル４に送信し、クレードル４において、送信されたデータを印刷装置により印刷する。これにより、携帯端末装置３が印刷装置を備えていなくとも、クレードル４が印刷機能を備えていれば、本発明を実施することができる。
【００４０】
また、クレードル４がアクセスポイント５との無線通信機能を備える構成とし、携帯端末装置３は、クレードル４を介してホスト装置１からのＰｕｓｈ配信を受信するようにしてもよい。
【００４１】
また、実施形態１と実施形態２とは別々に説明したが、組み合わせて用いることもできる。
【００４２】
その他、データ配信システム２００を構成する各装置の細部構成及び細部動作に関しても、本発明の趣旨を逸脱することのない範囲で適宜変更可能である。
【図面の簡単な説明】
【００４３】
【図１】本発明の実施形態１におけるデータ配信システム１００の全体構成を示す概念図である。
【図２】図１の携帯端末装置３及びクレードル４の外観を示す図である。
【図３】図１の携帯端末装置３の機能的構成を示すブロック図である。
【図４】図３のＣＰＵ３０により実行されるＰｕｓｈ配信受信処理Ａを示すフローチャートである。
【図５】本発明の実施形態２におけるデータ配信システム２００の全体構成を示す概念図である。
【図６】図３のＣＰＵ３０により実行されるＰｕｓｈ配信受信処理Ｂを示すフローチャートである。
【符号の説明】
【００４４】
１００、２００  データ配信システム
１  ホスト装置
２  基地局
３  携帯端末装置
４  クレードル
３０    ＣＰＵ
３１  表示装置
３２  入力装置
３３  通信装置
３４  ＲＡＭ
３５  記憶装置
３６  印刷装置
３７  装着検出装置
３８  電源
３９  バス
【図１】
2005130365.tif 000003
【図２】
2005130365.tif 000004
【図３】
2005130365.tif 000005
【図４】
2005130365.tif 000006
【図５】
2005130365.tif 000007
【図６】
2005130365.tif 000008